(57)【特許請求の範囲】
【請求項１】
転写テープを繰出す繰出しリール又は転写テープを巻取る巻取りリールのうち、転写ヘッドから遠い位置にある一方のリールをケースに設けられたアームに支持させるとともに、このアームを回転動作させることにより前記一方のリールを使用位置と前記転写ヘッド近傍まで動作させた突出位置との間を移動可能な転写具であって、
前記アームの回転中心を、前記転写ヘッドと、他方のリールとの間に位置付けられた所定位置に設けていることを特徴とする転写具。
【請求項２】
前記ケースが当該ケース内を厚み方向に仕切る中間板を有するものであり、前記ケースの外側と前記中間板との間に前記アームを収容し得るアーム収容空間を形成している請求項１記載の転写具。
【請求項３】
前記アーム収容空間の開口縁に、前記突出位置に位置付けるための突起を設けるとともに、前記アームに前記突起を収容し得る凹陥を設けている請求項２記載の転写具。
【請求項４】
前記突出位置において、前記繰出しリールにおける前記転写テープの繰出し箇所と、前記転写ヘッドの先端部と、前記巻取りリールにおける前記転写テープの巻取り箇所とが略直線状をなすように位置付けている請求項１、２または３記載の転写具。
【請求項５】
前記突出位置において、前記繰出しリールにおける前記転写テープの繰出し箇所と前記巻取りリールにおける前記転写テープの巻取り箇所とがなす直線よりも前記転写テープの裏面側に前記転写ヘッドの先端部を位置付けている請求項１、２または３記載の転写具。
【請求項６】
前記アームが、前記巻取りリールを支持している請求項１、２、３、４または５記載の転写具。
【請求項７】
前記転写テープの先端に前記転写テープを環状に形成した環状部を設け、当該環状部を前記巻取りリールに掛けることにより前記巻取りリールと前記転写テープとを固定している請求項１、２、３、４、５または６記載の転写具。
【発明の詳細な説明】
【技術分野】
【０００１】
本発明は、転写物を塗布した転写テープを含むリフィルを交換可能に構成した転写具に関するものである。
【背景技術】
【０００２】
従来、粘着剤や修正剤といった転写物を塗布された転写テープを含む構成部品を、転写テープを使い切る毎に、交換部品として交換するという、いわゆるリフィル交換式の転写具が、種々提案されている。
【０００３】
それらの中でも近年、リフィルを構成する要素を可能な限り少なくすべく、転写具としての構成要素をケース側に構成し、リフィルとしては転写テープと、この転写テープとを巻回保持しておく繰出し側の部材のみか、或いはこれらを主体としたものも提案されている(例えば、特許文献１参照)。当該文献に開示されている転写具は、交換部品、すなわち使用後に廃棄する部品点数を少なくすることにより、環境に対する負荷を有効に低減させることを目的としているものである。また、この転写具は、リフィル交換作業を行いやすくすべく、転写ヘッドから離間する側のリールをケースに設けたアームに支持させるとともに、アームを動作させることによって転写ヘッド近傍に当該ケースを位置付け得るものとしている。
【０００４】  しかしながら、上記特許文献に開示された構成であると、アームの回転中心を転写ヘッドに近接させた側のリールの中心に合致させて形成しているため、アームの長さ寸法はこれら両リール間の寸法に自ずと決められたものとなる。そうなると、リールを所要の位置に位置付けるべくアームを設定すると、いきおい両リール間の距離を増大させてケースを大型化させたり、転写ヘッドをアームの動作に干渉させないように位置付けてリールと転写ヘッドとの距離を過度に近接させることにより転写作業に係る作業性を向上し得なかったりということが起こり得る。
【先行技術文献】
【特許文献】
【０００５】
【特許文献１】特開２００４−１４８７０２号公報
【発明の概要】
【発明が解決しようとする課題】
【０００６】
本発明は、このような不具合に着目したものであり、リフィル交換を容易なものとしつつ、ケースの大型化や作業性の低下を有効に回避し得る転写具を提供することを目的としている。
【課題を解決するための手段】
【０００７】
本発明は、このような目的を達成するために、次のような手段を講じたものである。すなわち、本発明に係る転写具は、転写テープを繰出す繰出しリール又は転写テープを巻取る巻取りリールのうち、転写ヘッドから遠い位置にある一方のリールをケースに設けられたアームに支持させるとともに、このアームを回転動作させることにより前記一方のリールを使用位置と前記転写ヘッド近傍まで動作させた突出位置との間を移動可能な転写具であって、前記アームの回転中心を、前記転写ヘッドと、他方のリールとの間に位置付けられた所定位置に設けていることを特徴とする。
【０００８】
このようなものであれば、最適な位置へリールを持ち出して迅速な交換部品の交換を実現しつつ、アームの取付け位置が他方のリールや転写ヘッドの位置に拘束されず済むため、アームがいたずらに長くなったり、転写ヘッドの位置が他方のリールに近付きすぎて作業性を低下させてしまったりすることを有効に回避することによって、コンパクト且つ作業性に優れた転写具を実現できる。
【００１０】
そして、アームが嵩張ったり転写作業に干渉したりすることを有効に回避するためには、前記ケースが当該ケース内を厚み方向に仕切る中間板を有するものであり、前記ケースの外側と前記中間板との間に前記アームを収容し得るアーム収容空間を形成していることが望ましい。
【００１１】
また、アームを突出位置で確実に位置決めするためには、前記アーム収容空間の開口縁に、前記突出位置に位置付けるための突起を設けるとともに、前記アームに前記突起を収容し得る凹陥を設けておくことが好ましい。
【００１２】
前記突出位置において交換部品の交換作業、特に新しい交換部品の取付作業を容易に行い得るものとするためには、前記繰出しリールにおける前記転写テープの繰出し箇所と、前記転写ヘッドの先端部と、前記巻取りリールにおける前記転写テープの巻取り箇所とが略直線状をなすように位置付けているものや、転写テープの繰出し箇所と転写テープの巻取り箇所とがなす直線よりも転写テープの裏面側に転写ヘッドの先端部を位置付けたものとすることが望ましい。
【００１３】
また、使用後の交換部品の離脱や新しい交換部品の取付けを行い易いものとするためには、前記アームが、前記巻取りリールを支持しているものが望ましい。
【００１４】
さらに、交換部品の構成を簡素なものとしつつ、容易な交換部品の取付を実現するためには、前記転写テープの先端に前記転写テープを環状に形成した環状部を設け、当該環状部を前記巻取りリールに掛けることにより前記巻取りリールと前記転写テープとを固定しているものが望ましい。
【発明の効果】
【００１５】
本発明によれば、最適な位置へリールを持ち出して迅速な交換部品の交換を実現しつつ、アームがいたずらに長くなったり、転写ヘッドの位置が他方のリールに近付きすぎて作業性を低下させてしまったりすることを有効に回避することによって、コンパクト且つ作業性に優れた転写具を提供することができる。
【図面の簡単な説明】
【００１６】
【図１】本発明の一実施形態に係る転写具の斜視図。
【図２】同正面図。
【図３】同平面図。
【図４】同実施形態に係るケースを開いた状態の外観図。
【図５】同正面図。
【図６】同平面図。
【図７】図５に対応する動作説明図。
【図８】図６に対応する動作説明図。
【図９】同実施形態に係る要部拡大図。
【図１０】同実施形態に係る作用説明図。
【図１１】同上。
【図１２】同上。
【図１３】同実施形態に係る要部の正面図。
【図１４】図１３に対応する動作説明図。
【図１５】同実施形態に係る要部の分解斜視図。
【図１６】同他の分解斜視図。
【図１７】同実施形態に係る要部の動作説明図。
【図１８】同上。
【図１９】同上。
【図２０】同実施形態の変形例１に係る作用説明図。
【図２１】同変形例２に係る作用説明図。
【図２２】同変形例３に係る作用説明図。
【図２３】同変形例４に係る作用説明図。
【図２４】同変形例５に係る作用説明図。
【図２５】同変形例６に係る作用説明図。
【発明を実施するための形態】
【００１７】
以下、本発明の一実施の形態について図１ないし図１９を参照して説明する。
【００１８】
本実施形態に係る転写具は、例えば、転写物である粘着剤を塗布した転写テープ２１を巻回保持し、転写ヘッド３７を介して粘着剤を紙面などの対象面に転写するためのものである。勿論、転写テープ２１に塗布する転写物は粘着剤に限られることはなく、修正剤を塗布された転写テープ２１を適用したものであってもよい。
【００１９】
この転写具は、巻取りリール３６に巻回された転写テープ２１を、巻取りリール３６から離脱させることにより転写テープ２１の交換を行う態様のものであって、転写物を転写可能に収容している非交換部品であるケース１と、ケース１に対して分離・交換可能な交換部品であるリフィル２とを有している。具体的には、転写ヘッド３７から遠い位置にある巻取りリール３６を後述するアーム３３に支持させるとともに、このアーム３３を回転動作させることにより巻取りリール３６を使用位置（Ｐ）から転写ヘッド３７近傍まで動作させた突出位置（Ｑ）として転写テープ２１を含むリフィル２の交換を行うようにしているものである。
【００２０】
リフィル２は、図４に示すように、リフィル２を、転写テープ２１と、この転写テープ２１を巻回保持している繰出しスプール２２とを有するものとしている。そして転写テープ２１は、その先端側に巻取りリール３６に直接係り合わせて固定するための環状部２１ａを形成している。換言すれば、本実施形態では、リフィル２を転写テープ２１及び繰出しスプール２２のみという構成とし、転写具の他の必須要素である繰出しリール３４、巻取りリール３６や転写ヘッド３７及びそれらを係合及び保持するための構成要素を全て非交換部品とすることにより、リフィル２の交換に係る環境への負荷を低減させ得るものとなっている。なお本実施形態では、図４及び図１０ないし図１２を除く各図面において、便宜上リフィル２の図示を省略している。
【００２１】
ここで、本実施形態に係る転写具は、アーム３３の回転中心を、転写ヘッド３７と他方のリールとの間に位置付けられた所定位置であるアーム取付部３２３に設けていることを特徴とするものである。
【００２２】
以下、斯かる転写具の構成のうち、主にケース１について具体的に説明する。
【００２３】
ケース１は、図１ないし図１２に示すように、繰出しリール３４、巻取りリール３６及び転写ヘッド３７等を保持しているケース本体３と、このケース本体３にヒンジｈを介して接続されたカバー４とを有している。
【００２４】
カバー４は、ケース１側にヒンジｈを介して開閉可能に構成されたカバー本体４１と、カバー本体４１の先端側に設けられて転写ヘッド３７を覆い得るキャップ４２と、巻取りリール３６と正面視重複し且つ同軸に回転し得る回転板４３と、ケース本体３側に係合し得る爪受け部４４とを有している。この回転板４３は、巻取られた転写テープ２１の端面に直接接しながら端面が回転板４３に付着、詳細には、転写テープ２１の端面からはみ出した転写し得なかった粘着剤を介して転写テープ２１の端面が回転板４３に付着しても回転板４３が巻取りリール３６と同軸に回転することにより、巻取りリール３６の回転に支障を来たさないようにするものである。
【００２５】
ケース本体３は、他の部品を保持している外側体３１と、外側体３１との間にアーム収容空間３ｓを形成した状態で取付けられる中間板３２と、この中間板３２の所定箇所に回転可能に取付けられ前記巻取りリール３６を転写ヘッド３７近傍へ位置付け得るアーム３３と、中間板３２に取付けられる繰出しリール３４と、外側体３１に取付けられ繰出しリール３４、巻取りリール３６にそれぞれ噛合する中間ギア３５と、アーム３３の先端部に取付けられる巻取りリール３６と、ケース本体３先端側に取付けられる転写ヘッド３７とを具備している。
【００２６】  外側体３１は、中間板３２を内部に取付けたケース本体３自体の外側を形成するものであり、カバー４側の爪受け部４４に係り合うための係合爪部３１２と、アーム３３を使用位置（Ｐ）に位置決めするために上下２箇所に設けられたアーム係止爪３１１とを有している。
【００２７】
中間板３２は当該ケース１内を厚み方向に仕切るものであり、前記ケース１が中間板３２を有する前記ケース１の外側と前記中間板３２との間に前記アーム３３を収容し得るアーム収容空間３ｓを形成しているものである。当該中間板３２は、転写ヘッド３７を取付けるために厚み方向すなわち正面視概略Ｈ字状に突出して設けられたリブであるヘッド取付部３２１と、繰出しリール３４を取付けるための繰出しリール取付部３２２と、これらヘッド取付部３２１及び繰出しリール取付部３２２との間の所定位置に設けたアーム取付部３２３と、使用位置（Ｐ）にある巻取りリール３６を受け入れるための収容凹部３２４と、収容凹部３２４の縁部において互いに正面視対向するように設けられた第１ラック３２５と第２ラック３２６と、そしてアーム３３を突出位置（Ｑ）に位置決めしておくために転写ヘッド３７より且つアーム３３収容部の開口縁において突出する突起３２７とを有している。また、第１ラック３２５と第２ラック３２６は正面視対向する位置に位置付けられているが、平面視では互いに厚み方向に異なる位置から突出することにより、後述する巻取りギア３６２及び操作ギア３６３ａにそれぞれ噛合し得るようになっている。
【００２８】
アーム３３は、基端側に設けられた回転軸３３１により中間板３２に回転可能に支持されるとともに先端側の巻取りリール取付部３３２によって巻取りリール３６を回転可能に支持しているもので、その中間位置には中間板３２から突出する突起３２７を受け入れることにより当該アーム３３を突出位置（Ｑ）に位置決めするための凹陥３３３を形成している。
【００２９】
繰出しリール３４は、リフィル２における繰出しスプール２２を取付けるためのリフィル取付部３４１と、転写動作による繰出しリール３４の回転を中間ギア３５を介して巻取りリール３６側へ伝達するための繰出しギア３４３と、繰出しギア３４３の回転速度とリフィル取付部３４１の回転速度を調整するために、これらを一定強度の摩擦を生じさせた状態で接続するクラッチ３４２とを有している。なお、一般的に繰出しリール３４回転による転写テープ２１の繰出し速度よりも巻取りリール３６による転写テープ２１の巻取り速度の方が転写テープ２１の全使用時を通じて常に早くなるように、ギア比が設定されているため、転写具使用時には常に当該クラッチ３４２は作動する。これらの構成により巻取りリール３６は転写テープ２１によって一定以上の強度で締め付けられながら当該転写テープ２１を巻取っていることになる。
【００３０】
転写ヘッド３７は、基端部を中間板３２のヘッド取付部３２１に外嵌することにより固定させるとともに、先端に樹脂性の転写ローラを回転可能に設けることにより転写テープ２１の走行をスムーズに促し得るものである。
【００３１】
巻取りリール３６は、転写テープ２１に直接掛けられて当該転写テープ２１を巻取るための拡縮部材３６１と、拡縮部材３６１を支持するとともに中間ギア３５と噛合する巻取りギア３６２と、これら拡縮部材３６１と巻取りギア３６２との間に介在する中間体３６３とを有している。また、巻取りリール３６の詳細な構成については後に詳述する。
【００３２】
しかして本実施形態に係る転写具は、アーム３３の回転中心を、転写ヘッド３７と、この転写ヘッド３７に近接した側のリールである繰出しリール３４との間に所定位置、つまり中間板３２におけるヘッド取付部３２１と、繰出しリール取付部３２２との間に設けられたアーム取付部３２３を設けた位置とすることによって、図５及び図６に示す使用位置（Ｐ）から、図７及び図８に示す突出位置（Ｑ）をとり得るものとなっている。
【００３３】
また本実施形態では、前記アーム収容空間３ｓの開口縁に、突出位置（Ｑ）に位置付けるための突起３２７を設けるとともに、前記アーム３３に前記突起３２７を収容し得る凹陥３３３を設けている。すなわち図９に示すように、突出位置（Ｑ）ではアーム３３に設けた凹陥３３３は中間板３２の位置決め凸部を収容することにより、当該突出位置（Ｑ）が安定して維持されるものとなっている。
【００３４】
ここで、斯かるアーム３３の動作を利用して交換部品であるリフィル２を取付ける態様について、図１０ないし図１２に示して説明する。
【００３５】
図１０に示すように、リフィル２の繰出しスプール２２を繰出しリール３４に装着するとともに、転写テープ２１の環状部２１ａをアーム３３を突出位置（Ｑ）とした状態で転写ヘッド３７の先方に位置付けられた巻取りリール３６へと取付ける。このとき本実施形態では、繰出しリール３４における転写テープ２１の繰出し箇所ａと、前記転写ヘッド３７の先端部ｂと、巻取りリール３６における前記転写テープ２１の巻取り箇所ｃとが略直線状をなすように位置付けられる。しかし勿論、転写テープ２１の繰出し箇所ａと巻取りリール３６における転写テープ２１の巻取り箇所ｃとがなす転写テープ２１の直線よりも、転写ヘッド３７の先端部ｂが図示上方に位置付けられたものであっても良い。これにより使用者は特にリフィル２取付けの際に転写テープ２１を転写ヘッド３７等に取り回すことなく作業を行うことができるので、簡単且つ確実にリフィル２を取付け得るようになっている。
【００３６】
そして図１１に示すようにアーム３３を使用位置（Ｐ）へ向けて回転させると転写テープ２１をそのまま転写ヘッド３７に掛けられることになり、図１２に示すように、使用位置（Ｐ）とした状態では、リフィル２は正しく装着される。そして図示しないが、同図に示す状態からカバー４を装着すれば、転写作業が可能な状態となる。また図１２に示した状態では、巻取りリール３６の径が突出位置（Ｑ）の状態に比べて拡大するので、環状部２１ａが確実に巻取りリール３６に係り合うものとなる。換言すると、アーム３３を使用位置（Ｐ）から突出位置（Ｑ）へとした状態では、巻取りリール３６の径は小さくなることになる。
【００３７】
すなわち、本実施形態に係る転写具は図１３ないし図１６に示すように転写テープ２１の交換時に、巻取りリール３６の使用時の拡開状態（Ｗ）から縮小させた径をなす縮小状態（Ｎ）とし得る縮径機構Ｘを具備することを特徴とするものである。本実施形態ではこの縮径機構Ｘを、巻取りリール３６と、アーム３３と、中間板３２に設けた第１ラック３２５、第２ラック３２６によって構成している。つまり、本実施形態の縮径機構Ｘは、アーム３３の動作に連動して作動するものとなっている。
【００３８】
以下、当該縮径機構Ｘを主に構成する巻取りリール３６の詳細な構成について説明する。
【００３９】
巻取りリール３６は上述の通り、拡縮部材３６１と巻取りギア３６２とこれらに介在する中間体３６３とを具備するものとなっている。しかして当該巻取りリール３６は、図１３ないし図１６に示すように、巻取りギア３６２と中間体３６３との相対回転動作によって、拡縮部材３６１が拡開・収縮動作を行うものである。拡縮部材３６１は、同じ形状をなす複数、本実施形態では３つの拡縮部材３６１から構成されるものとしている。巻取りギア３６２は、中間ギア３５に噛合するギア本体３６２ａと、拡縮部材３６１を互いに放射状に動作可能に支持する拡縮溝３６２ｂと、拡縮部材３６１の先端部を支持する芯状部３６２ｃとを有している。中間体３６３は、拡縮部材３６１に係り合うことで当該拡縮部材３６１同士の相対位置を位置決めするためのカム穴３６３ｂと、これらカム穴３６３ｂと拡縮部材３６１の相対位置を決定すべく中間体３６３を回動させるための操作ギア３６３ａとを有している。
【００４０】
そして拡縮部材３６１は、特に図１６に示すように、転写テープ２１の環状部２１ａに掛けられることにより転写テープ２１を直接巻取るための巻取り面３６１ａと、巻回された転写テープ２１の端面に添設する添設面３６１ｂと、添設面３６１ｂの裏面側から突出し、基端側においてカム穴３６３ｂを挿通するとともに先端部で拡縮溝３６２ｂに支持されることにより、拡縮可能に支持される被支持突起３６１ｃと、隣接する拡縮部材３６１同士を互いに接近・離間可能に係り合わせるための摺動突起３６１ｄ並びに摺動穴３６１ｅとを有している。
【００４１】  そして図１７ないし図１９に示すように、使用位置（Ｐ）にあるアーム３３を突出位置（Ｑ）へと動作させる際には、中間板３２が有する非動作部分である第１ラック３２５と第２ラック３２６に対し、巻取りギア３６２のギア本体３６２ａと、中間体３６３の操作体がそれぞれ反対方向に回動するように係り合う。そのため、巻取りギア３６２と中間体３６３は巻取りリール３６が拡開状態（Ｗ）をしている姿勢から相対回転動作をすることとなる。このとき、被支持突起３６１ｃは中間体３６３のカム穴３６３ｂの内面に付勢させることにより、拡縮部材３６１は芯状部３６２ｃすなわち巻取りリール３６の中心へ向けて収縮する動作を行う。つまりこのとき、巻取り面３６１ａが互いに近接することにより、巻取りリール３６の径が縮小する縮小状態（Ｎ）をとるものとなる。併せて、添設面３６１ｂについても互いに近接して転写テープ２１の端面に対する相対動作を行うことにより図示しない転写テープ２１の端面に対し相対移動を行うことになる。つまり、添設面３６１ｂに転写テープ２１の端面からはみ出した転写され得なかった粘着剤が付着した状態であっても当該付着状態が解除される。
【００４２】
このようにして、径が縮小された縮小状態（Ｎ）にある巻取りリール３６によって巻回された転写テープ２１の内面は巻取り面３６１ａとの間に若干の隙間が生じるとともに、前記の粘着剤による付着も解消された状態となる。その結果、使用済の転写テープ２１は巻取りリール３６からスムーズに取り外すことができる。なお、図１０ないし図１２に示したアーム３３の動作時では、上記と逆の手順を経ることによって、巻取りリール３６の径が拡大された拡開状態（Ｗ）をとることは言うまでもない。
【００４３】
以上のような構成とすることにより、本実施形態に係る転写具は、巻取りリール３６を支持しているアーム３３の回転中心を、転写ヘッド３７と、繰出しリール３４との間に位置付けられた所定位置に設けているので、最適な位置へリールを持ち出して迅速なリフィル２の交換を実現しつつ、アーム３３の取付け位置が繰出しリール３４や転写ヘッド３７の位置に拘束されず済むため、アーム３３がいたずらに長くなったり、転写ヘッド３７の位置が他方のリールに近付きすぎて作業性を低下させてしまったりすることを有効に回避して、コンパクト且つ転写作業性に優れるとともに、リフィル２交換時のアーム３３の位置を最適な位置に位置付け易いものとなっているので、リフィル２交換の作業性にも優れた転写具を実現している。
【００４５】
そして、アーム３３が嵩張ったり転写作業に干渉したりすることを有効に回避するために本実施形態では、前記ケース１が当該ケース１内を厚み方向に仕切る中間板３２を有するものとし、ケース１の外側と前記中間板３２との間に前記アーム３３を収容し得るアーム収容空間３ｓを形成したものとしている。
【００４６】
また、アーム３３を突出位置（Ｑ）で確実に位置決めするために本実施形態では、前記アーム収容空間３ｓの開口縁に、前記突出位置（Ｑ）に位置付けるための突起３２７を設けるとともに、前記アーム３３に前記突起３２７を収容し得る凹陥３３３を設けている。
【００４７】
加えて突出位置（Ｑ）において交換部品の交換作業、特に新しい交換部品の取付作業を容易に行い得るものとするために本実施形態では、図１０に示すように、前記繰出しリール３４における転写テープ２１の繰出し箇所ａと、転写ヘッド３７の先端部ｂと、巻取りリール３６における転写テープ２１の巻取り箇所ｃとが略直線状をなすように位置付けている。また図示しないが，上述の通り繰出し箇所ａと巻取り箇所ｃとがなす直線よりも、転写テープ２１における転写物が塗布されていない裏面側に転写ヘッド３７の先端部ｂを位置付けたものであっても、図示の態様と同様に、アーム３３の動作により転写ヘッド３７に転写テープを掛ける動作を兼ねて行わせることができる。
【００４８】
ここで、実際の交換操作を行う上で、使用後の交換部品の離脱や新しい交換部品の取付けを行い易いものとするために本実施形態では、アーム３３が、繰出しリール３４では無く巻取りリール３６を支持することで、使用後の転写テープ２１を取り出し易い位置まで移動させてリフィル２の交換作業をより行い易いものとしている。
【００４９】
さらに本実施形態では、交換部品の構成を簡素なものとしつつ、容易な交換部品の取付を実現するための具体的な構成として、転写テープ２１の先端に転写テープ２１を環状に形成した環状部２１ａを設け、当該環状部２１ａを前記巻取りリール３６に掛けることにより巻取りリール３６と転写テープ２１とを固定したものとしている。
【００５０】
以上、本発明の実施形態について説明したが、各部の具体的な構成は、上述した実施形態のみに限定されるものではなく、本発明の趣旨を逸脱しない範囲で種々変形が可能である。例えば上記実施形態では巻取りリール３６の巻取り径を縮小させ得る縮径機構Ｘについて詳述したが、勿論、縮径機構Ｘを具備することなくアーム３３が動作するものであっても良い。
【００５１】
＜変形例１＞
以下、本実施形態の各変形例について詳述するが、これら変形例について、上記実施形態の構成要素に相当する構成要素については同じ符号を付すとともに、その詳細な説明を省略するものとする。
【００５２】  本変形例に係る縮径機構は、ケース本体３をカバー４により蓋止めする動作を利用して、巻取りリール３６の径を拡開させるとともに、再びカバー４を開ける動作により、図示しない弾性復帰手段により拡縮部材３６１の径が収縮するように構成しているものである。具体的には、拡縮部材３６１の上端側にテーパ面３６ａを設けるとともに、カバー４の内面に備わる回転板４３の中央部の突出部４３ａの突出高さ並びに位置を適宜調整しておくことによって、突出部４３ａにテーパ面３６ａを押圧させて、拡縮部材３６１の相対距離を離間させる。その結果、使用時には巻取りリール３６の径は拡開した状態となり、カバー４を開けたときには、上記の弾性復帰により巻取りリール３６の径が縮径するものである。このようなものであっても、上記実施形態と同様にリフィル２の交換を迅速且つ簡便に行い得るものとなっている。
【００５３】
＜変形例２＞
上記実施形態では転写テープ２１の先端に設けた環状部２１ａを巻取りリール３６の巻取り面３６１ａの外側に掛け回した態様を図示したが、図２１に示す本変形例のように、拡縮部材３６１の内側に係り合わせたり、任意の一の拡縮部材３６１に掛けることによって転写テープ２１を巻取りリール３６に係り合わせたりするものとしても良い。
【００５４】
＜変形例３＞
また勿論、上記実施形態では転写テープ２１の先端に環状部２１ａを設けることにより巻取りリール３６に転写テープ２１を取付けたものとしたが、図２２に示す本変形例ように、転写テープ２１とは別体に構成された環状部材２３を巻取りリール３６に適宜係り合わせることによって転写テープ２１を巻取りリール３６へ取付けるものとしても良い。
【００５５】
＜変形例４＞
さらに他方、図２３に示す本変形例のように、転写テープ２１の先端を単に転写テープ２１を切断した切断縁２１ｂとしても良い。このような場合には、同図に示すように、例えば巻取りリール３６の一部、図示では拡縮部材３６１にスリット３６１ｓを設けることにより、当該スリット３６１ｓに切断縁２１ｂを挟持させる構成とすれば良い。
【００５６】
＜変形例５＞
また、図２４に示す本変形例のように、切断縁２１ｂをスリット３６ｂｓのみを設けた巻取りリール３６ｂに係りあわせる構成としても良い。このようなものであれば、巻取りリール３６ｂの構成をより簡素なものとすることができる。
【００５７】
＜変形例６＞
そして、図２５に示す本変形例のように、転写テープ２１の先端の切断縁２１ｂに両面テープ等からなる別体の接着部ｔを設けたものとすれば、前変形例よりもさらに簡素な構成の巻取りリール３６であっても、好適に転写テープ２１を係り合わせることができる。
【００５８】
また本発明は上記実施形態並びに拡変形例に開示したものに限られることはなく、例えばアームを中間板ではなく外側体に回転可能に取付けたものとしたり、ケースにおける別異な位置に取付けたものとしたりしても良い。
【００５９】
その他、各部の具体的構成についても上記実施形態に限られるものではなく、本発明の趣旨を逸脱しない範囲で種々変形が可能である。
【産業上の利用可能性】
【００６０】
本発明は、転写物を塗布した転写テープを含むリフィルを交換可能に構成した転写具として利用することができる。
【符号の説明】
【００６１】
１…ケース
２…交換部品（リフィル）
２１…転写テープ
２１ａ環状部
３ｓ…アーム収容空間
３２…中間板
３２３…所定位置（アーム取付部）
３２７…突起
３３…アーム
３３３…凹陥
３４…繰出しリール
３６…巻取りリール
３７…転写ヘッド
Ｐ…使用位置
Ｑ…突出位置
【図１】
0005786115.tif 000002
【図２】
0005786115.tif 000003
【図３】
0005786115.tif 000004
【図４】
0005786115.tif 000005
【図５】
0005786115.tif 000006
【図６】
0005786115.tif 000007
【図７】
0005786115.tif 000008
【図８】
0005786115.tif 000009
【図９】
0005786115.tif 000010
【図１０】
0005786115.tif 000011
【図１１】
0005786115.tif 000012
【図１２】
0005786115.tif 000013
【図１３】
0005786115.tif 000014
【図１４】
0005786115.tif 000015
【図１５】
0005786115.tif 000016
【図１６】
0005786115.tif 000017
【図１７】
0005786115.tif 000018
【図１８】
0005786115.tif 000019
【図１９】
0005786115.tif 000020
【図２０】
0005786115.tif 000021
【図２１】
0005786115.tif 000022
【図２２】
0005786115.tif 000023
【図２３】
0005786115.tif 000024
【図２４】
0005786115.tif 000025
【図２５】
0005786115.tif 000026